(57)【要約】【課題】バッファメモリを増加させることなく、パケットロスを生じさせないＥｏＳ通信装置を構成する。【解決手段】ＥｏＳ（Ether  over  Sonet）通信装置において、出力イーサネット回線の速度以上にＬＣＡＳ（Link  Capacity  Adjustment  Scheme）でＶＣＡＴ帯域を増加する場合に、イーサネット回線送信処理部からEther回線へポーズフレームの送信を行い、Ether回線からのパケットの入力を停止し、ＧＦＰ送信処理部のバッファ内のパケットがある容量以下になってからＬＣＡＳにより帯域増加を行う。【選択図】図２
2008236691.tif 000002
【特許請求の範囲】
【請求項１】
イーサネット回線とＳＤＨ回線との間に設けられる通信装置であって、
前記イーサネット回線を介してパケットを受信するイーサネット回線受信部と、
前記ＳＤＨ回線側へパケットを出力するＳＤＨ回線送信処理部と、
ＬＣＡＳ制御により帯域増加を行うＶＣＡＴ−ＬＣＡＳ送信処理部と、
前記イーサネット回線に接続された他の通信装置に、新たなパケットの送信を停止させるためのポーズフレームを出力するイーサネット回線送信部と、
複数のパケットを保持するバッファメモリを有し、前記イーサネット回線送信部へ前記ポーズフレームの出力を指示するＧＦＰ送信処理部と、
を具備し、
前記ＧＦＰ送信処理部は、前記指示を出力した後、
前記バッファメモリに蓄えられているパケット量が、対向装置でオーバーフローを起こさないレベルになったときに、前記ＶＣＡＴ−ＬＣＡＳ送信処理部にＬＣＡＳの帯域増加制御を開始させる
通信装置。
【請求項２】
請求項１に記載の通信装置において、さらに、
ＶＣＡＴ−ＬＣＡＳ受信処理部を備え、
前記ＶＣＡＴ−ＬＣＡＳ受信処理部は、
ＬＣＡＳ制御により帯域増加が完了したことを認識すると、前記イーサネット回線送信部へポーズフレーム送信停止命令を送り、
前記イーサネット回線送信部は、
前記ポーズフレーム送信停止命令に応答して、前記ポーズフレームの送信を停止する
通信装置。
【請求項３】
請求項１または２に記載の通信装置において、
前記ＧＦＰ送信処理部は、シェーピング回路を備え、
前記シェーピング回路は、
前記ＧＦＰ送信処理部の前記バッファメモリから、前記ＶＣＡＴ−ＬＣＡＳ送信処理部にパケットを送出する際に、対向装置のイーサネット回線以下の速度で前記パケットを出力させる
通信装置。
【請求項４】
イーサネット回線とＳＤＨ回線との間に設けられる通信装置であって、
前記イーサネット回線を介してパケットを受信するイーサネット回線受信部と、
前記ＳＤＨ回線側へパケットを出力するＳＤＨ回線送信処理部と、
ＬＣＡＳ制御により帯域増加を行うＶＣＡＴ−ＬＣＡＳ送信処理部と、
前記イーサネット回線に接続された他の通信装置に、新たなパケットの送信を停止させるためのポーズフレームを出力するイーサネット回線送信部と、
シェーピング回路と複数のパケットを保持するバッファメモリを有し、前記イーサネット回線送信部へ前記ポーズフレームの出力を指示するＧＦＰ送信処理部と、
を具備し、
前記シェーピング回路は、
前記ＧＦＰ送信処理部の前記バッファメモリから、前記ＶＣＡＴ−ＬＣＡＳ送信処理部にパケットを送出する際に、対向装置のイーサネット回線以下の速度で前記パケットを出力させる
通信装置。
【請求項５】
（ａ）イーサネット回線を介してパケットを受信するステップと、
（ｂ）ＳＤＨ回線側へパケットを出力するステップと、
（ｃ）ＬＣＡＳ制御により帯域増加を行うステップと、
を具備し、
前記（ｃ）ステップは、
前記イーサネット回線に接続された他の通信装置に、新たなパケットの送信を停止させるためのポーズフレームの出力を指示するステップと、
前記指示に応じて前記ポーズフレームを出力するステップと、
前記指示を出力した後、バッファメモリに蓄えられているパケット量が、対向装置でオーバーフローを起こさないレベルになったときに、ＬＣＡＳの帯域増加制御を開始するステップ
を含む
通信方法。
【請求項６】
請求項５に記載の通信方法において、さらに、
（ｄ）ＬＣＡＳ制御により帯域増加が完了したことを認識したときに、ポーズフレーム送信停止命令を出力するステップと、
（ｅ）前記ポーズフレーム送信停止命令に応答して、前記ポーズフレームの送信を停止するステップ
を具備する
通信方法。
【請求項７】
請求項５または６に記載の通信方法において、さらに、
（ｆ）前記バッファメモリから、パケットを送出する際に、対向装置のイーサネット回線以下の速度で前記パケットを出力するステップ
を具備する
通信方法。
【請求項８】
イーサネット回線とＳＤＨ回線との間に設けられる通信装置でデータ通信を行うための手順を示す通信プログラムであって、前記通信プログラムは、
（ａ）ＬＣＡＳ制御により帯域増加を行うステップと、
（ｂ）新たなパケットの送信を停止させるためのポーズフレームを出力するように指示するステップと、
（ｃ）その指示に応答して前記イーサネット回線に接続された他の通信装置に、前記ポーズフレームを出力するステップと
を具備する方法を実行するための手順を示し、
前記（ａ）ステップは、
前記指示が出力された後、複数のパケットを保持するバッファメモリに蓄えられているパケット量が、対向装置でオーバーフローを起こさないレベルになったときに、ＬＣＡＳの帯域増加制御を開始するステップ
を含む方法をコンピュータで実行するための手順を示す
通信プログラム。
【請求項９】
請求項８に記載の通信プログラムにおいて、さらに、
（ｄ）前記イーサネット回線を介してパケットを受信するステップと、
（ｅ）前記ＳＤＨ回線側へパケットを出力するステップと
を具備する方法をコンピュータで実行するための手順を示す
通信プログラム。
【請求項１０】
請求項９に記載の通信プログラムにおいて、さらに、
（ｆ）ＬＣＡＳ制御により帯域増加が完了したことを認識したときに、ポーズフレーム送信停止命令を出力し、前記ポーズフレーム送信停止命令に応答して、前記ポーズフレームの送信を停止するステップ
を具備する方法をコンピュータで実行するための手順を示す
通信プログラム。
【請求項１１】
請求項８から１０の何れか一項に記載の通信方法において、さらに、
（ｇ）前記バッファメモリから、パケットを送出する際に、対向装置のイーサネット回線以下の速度で前記パケットを出力するステップ
を具備する方法をコンピュータで実行するための手順を示す
通信プログラム。
【発明の詳細な説明】
【技術分野】
【０００１】
本発明は、ＥｏＳ（Ether  over  SONET）通信装置に関し、特にＬＣＡＳ（Link  Capacity  Adjustment  Scheme）通信におけるバッファ制御が可能なＥｏＳ通信装置に関する。
【背景技術】
【０００２】
従来、電話を中心に通信網は構成され、電話回線の多重伝送方式の国際標準として、ＳＤＨ（Synchronous  Digital  Hierarchy）がＩＴＵ−Ｔ勧告Ｇ．７０３が規定されている。近年、データ通信が音声通信より増加し、また、音声電話もＩＰ電話に置き換わりデータ通信が大部分を占めてきている。データ通信回線としてはイーサネット（登録商標）が装置間のインターフェースに使用されてきている。
【０００３】
さらに、ＳＤＨの多重化伝送技術が改良された結果、イーサネット回線をＳＤＨ回線に効率よく多重できるＥｏＳ（Ether  over  SONET（SONET：Synchronous  Optical  Network））技術として、ＧＦＰ（Generic  Framing  Procedure）、ＶＣＡＴ（Virtual  Concatenation）、ＬＣＡＳ（Link  Capacity  Adjustment  Scheme）などの技術がある（例えば、特許文献１〜３参照）。
【０００４】
ＧＦＰはイーサネットのパケットをＳＤＨ回線上にカプセル化して伝送するためのフレーミング技術である。ＧＦＰはＩＴＵ−Ｔ勧告Ｇ．７０４１で標準化されている。ＶＣＡＴは、ＳＤＨの伝送単位であるヴァーチャルコンテナ（ＶＣ：Virtual  Container）を複数結合して一つの伝送単位にするものであり、複数のＶＣで構成されるグループは、ＶＣＧ（Virtual  Concatenation  Group）と呼ばれている。従来のＳＤＨの伝送単位は、
ＶＣ３＝約５０Ｍｂｐｓ
ＶＣ４＝約１５０Ｍｂｐｓ
であり、イーサネット回線速度１０Ｍｂｐｓ、１００Ｍｂｐｓ、１Ｇｂｐｓ、１０Ｇｂｐｓを伝送するには適していない。そこでＶＣＡＴ技術を用い、ＶＣ４を７個結合したＶＣＧであるＶＣ４−７ｖを構成すると、ＶＣ４−７ｖは約１．０５Ｇｂｐｓであり、１Ｇｂｐｓのイーサネット回線を伝送するのに適したものになる。ＶＣＡＴは、ＩＴＵ−Ｔ勧告Ｇ．７０７で標準化されている。ＬＣＡＳは、通信機器と他の通信機器とが通信している最中に、ＶＣＧを構成するＶＣの追加または削除をフレキシブルに行う技術である。ＬＣＡＳは、ＩＴＵ−Ｔ勧告Ｇ．７０４２で標準化されている。
【０００５】
特許文献１（特開２００４−０２３２５９号公報）には、高速かつ複雑な回路なしでバーチャル・コンカティネーション帯域変更をＭＡＣフレームの消失およびエラーなしに行うことを可能にするバーチャル・コンカティネーション・パスの無瞬断変更方式に関する技術が記載されている。特許文献２（特開２００５−１８４３０１号公報）には、伝送装置において、ネットワークの帯域利用効率の向上および上位レイヤーのスループットの向上を実現するための技術が記載されている。特許文献３（特開２００５−２３６４２３号公報）には、対向イーサネット端末の受信許容速度を超えないように制御する技術が記載されている。
【０００６】
ここで、従来のＧＦＰ、ＶＣＡＴ、ＬＣＡＳを用いたＥｏＳを実現するＥｏＳ通信装置１０１について説明する。図１は、従来のＥｏＳ通信装置１０１の構成を示すブロック図である。図１を参照すると、イーサネット回線受信部１０２は、イーサネット回線からのパケットを受信する。そのパケットは、ＧＦＰ送信処理部１０３に送られ、ＧＦＰ送信処理部１０３の送信処理部バッファメモリ１１１に保持される。ＧＦＰ送信処理部１０３の送信処理部バッファメモリ１１１に蓄えられたパケットは、ＧＦＰヘッダでカプセル化され、ＶＣＡＴ−ＬＣＡＳ送信処理部１０４へ送られる。そのパケットは、ＶＣＡＴ−ＬＣＡＳ送信処理部１０４で、Virtual  ConcatenationのＶＣＧにマッピングされ、ＳＤＨ回線送信処理部１０５でＳＤＨのオーバーヘッドを付加されてＳＤＨ回線へ送信される。
【０００７】
また、ＥｏＳ通信装置１０１は、ＳＤＨ回線からＳＤＨデータを受信すると、ＳＤＨ回線受信処理部１０６でＳＤＨのフレーム同期をとり、ＳＤＨフレーム内のＶＣパスをＶＣＡＴ−ＬＣＡＳ受信処理部１０７へ送信する。ＶＣＡＴ−ＬＣＡＳ受信処理部１０７はＶＣＧを構成するＶＣの位相同期をとり、ＧＦＰフレームが多重されているＶＣのペイロード部分を取り出し、ＧＦＰ受信処理部１０８へ送信する。ＧＦＰ受信処理部１０８は、送られてきたペイロード部分からＧＦＰ同期をとり、ＧＦＰヘッダを取り除き、イーサネットパケットを受信処理部バッファメモリ１１２に蓄積する。ＧＦＰ受信処理部１０８の受信処理部バッファメモリ１１２内のイーサネットパケットは、イーサネット回線送信部１０９へ送られ、イーサネット回線へ出力される。このようにして、従来のＥｏＳ通信装置１０１はイーサネット回線のパケットを、ＳＤＨ回線を使って遠方のイーサネット回線へ送信している。
【０００８】
【特許文献１】特開２００４−０２３２５９号公報
【特許文献２】特開２００５−１８４３０１号公報
【特許文献３】特開２００５−２３６４２３号公報
【発明の開示】
【発明が解決しようとする課題】
【０００９】
ＬＣＡＳは、通信を中断することなく、ＶＣＧグループを増減することにより、パケットを運ぶＳＤＨ回線上の帯域を増減できる。そのため、ＧＦＰ送信処理部１０３のバッファメモリに蓄えられていたパケットは、帯域増加時に、その帯域増加に伴い一気に対向するＥｏＳ通信装置１０１に送られる。このとき、ＧＦＰ受信処理部１０８の受信処理部バッファメモリ１１２の容量以上のパケットが受信されると、受信バッファ（受信処理部バッファメモリ１１２）がオーバーフローを引き起こし、パケットロスが発生することがある。パケットロスを抑制するために、ＧＦＰ受信処理部１０８のバッファメモリの容量を大きくすると、ＥｏＳ通信装置１０１が高価になってしまうことがある。
【００１０】
本発明が解決しようとする課題は、ＧＦＰ受信処理部１０８のバッファメモリを増加させることなく、パケットロスを生じさせない、安価なＥｏＳ通信装置を提供することにある。
【課題を解決するための手段】
【００１１】
以下に、［発明を実施するための最良の形態］で使用される番号を用いて、課題を解決するための手段を説明する。これらの番号は、［特許請求の範囲］の記載と［発明を実施するための最良の形態］との対応関係を明らかにするために付加されたものである。ただし、それらの番号を、［特許請求の範囲］に記載されている発明の技術的範囲の解釈に用いてはならない。
【００１２】
上記課題を解決するために、イーサネット回線とＳＤＨ回線との間に設けられる通信装置（１）を以下のように構成する。その通信装置（１）は、前記イーサネット回線を介してパケットを受信するイーサネット回線受信部（２）と、前記ＳＤＨ回線側へパケットを出力するＳＤＨ回線送信処理部（５）と、ＬＣＡＳ制御により帯域増加を行うＶＣＡＴ−ＬＣＡＳ送信処理部（４）と、前記イーサネット回線に接続された他の通信装置に、新たなパケットの送信を停止させるためのポーズフレームを出力するイーサネット回線送信部（９）と、複数のパケットを保持するバッファメモリ（１１）を有し、前記イーサネット回線送信部（９）へ前記ポーズフレームの出力を指示するＧＦＰ送信処理部（３）とを具備するものであることが好ましい。そして、前記ＧＦＰ送信処理部（３）は、前記指示を出力した後、前記バッファメモリ（１１）に蓄えられているパケット量が、対向装置でオーバーフローを起こさないレベルになったときに、前記ＶＣＡＴ−ＬＣＡＳ送信処理部（４）にＬＣＡＳの帯域増加制御を開始させる。
【００１３】
その通信装置（１）において、さらに、ＶＣＡＴ−ＬＣＡＳ受信処理部（７）を備える構成であっても良い。この場合に、前記ＶＣＡＴ−ＬＣＡＳ受信処理部（７）は、ＬＣＡＳ制御により帯域増加が完了したことを認識すると、前記イーサネット回線送信部（９）へポーズフレーム送信停止命令を送る。このとき、前記イーサネット回線送信部（９）は、前記ポーズフレーム送信停止命令に応答して、前記ポーズフレームの送信を停止することが好ましい。
【００１４】
その通信装置（１）において、前記ＧＦＰ送信処理部（３）は、シェーピング回路（１３）を備えていても良い。この場合、前記シェーピング回路（１３）は、前記ＧＦＰ送信処理部（３）の前記バッファメモリ（１１）から、前記ＶＣＡＴ−ＬＣＡＳ送信処理部（４）にパケットを送出する際に、対向装置のイーサネット回線以下の速度で前記パケットを出力させることが好ましい。
【００１５】
また、上記課題を解決するために、イーサネット回線とＳＤＨ回線との間に設けられる通信装置（１）を以下のように構成しても良い。その通信装置（１）が、前記イーサネット回線を介してパケットを受信するイーサネット回線受信部（２）と、前記ＳＤＨ回線側へパケットを出力するＳＤＨ回線送信処理部（５）と、ＬＣＡＳ制御により帯域増加を行うＶＣＡＴ−ＬＣＡＳ送信処理部（４）と、前記イーサネット回線に接続された他の通信装置に、新たなパケットの送信を停止させるためのポーズフレームを出力するイーサネット回線送信部（９）と、シェーピング回路（１３）と複数のパケットを保持するバッファメモリ（１１）を有し、前記イーサネット回線送信部（９）へ前記ポーズフレームの出力を指示するＧＦＰ送信処理部（３）とを具備するように構成する。ここにおいて、前記シェーピング回路（１３）は、前記ＧＦＰ送信処理部（３）の前記バッファメモリ（１１）から、前記ＶＣＡＴ−ＬＣＡＳ送信処理部（４）にパケットを送出する際に、対向装置のイーサネット回線以下の速度で前記パケットを出力させる。
【００１６】
また、上記課題を解決するために、以下の通信方法でデータ通信を行っても良い。その通信方法は、
［ａ］イーサネット回線を介してパケットを受信するステップと、
［ｂ］ＳＤＨ回線側へパケットを出力するステップと、
［ｃ］ＬＣＡＳ制御により帯域増加を行うステップと、
を具備するものとする。ここにおいて、
前記［ｃ］ステップは、
前記イーサネット回線に接続された他の通信装置に、新たなパケットの送信を停止させるためのポーズフレームの出力を指示するステップと、
前記指示に応じて前記ポーズフレームを出力するステップと、
前記指示を出力した後、バッファメモリ（１１）に蓄えられているパケット量が、対向装置でオーバーフローを起こさないレベルになったときに、ＬＣＡＳの帯域増加制御を開始するステップを含むものであることが好ましい。
【００１７】
その通信方法において、さらに、
［ｄ］ＬＣＡＳ制御により帯域増加が完了したことを認識したときに、ポーズフレーム送信停止命令を出力するステップと、
［ｅ］前記ポーズフレーム送信停止命令に応答して、前記ポーズフレームの送信を停止するステップを具備する通信方法でデータ通信を行っても良い。
【００１８】
その通信方法において、さらに、
［ｆ］前記バッファメモリ（１１）から、パケットを送出する際に、対向装置のイーサネット回線以下の速度で前記パケットを出力するステップを具備する通信方法でデータ通信を行っても良い。
【００１９】
上記課題を解決するために、イーサネット回線とＳＤＨ回線との間に設けられる通信装置（１）でデータ通信を行うため、
［ａ］ＬＣＡＳ制御により帯域増加を行うステップと、
［ｂ］新たなパケットの送信を停止させるためのポーズフレームを出力するように指示するステップと、
［ｃ］その指示に応答して前記イーサネット回線に接続された他の通信装置に、前記ポーズフレームを出力するステップと
を具備する方法を実行するための手順を示す通信プログラムを構成する。ここにおいて、
前記［ａ］ステップは、
前記指示が出力された後、複数のパケットを保持するバッファメモリ（１１）に蓄えられているパケット量が、対向装置でオーバーフローを起こさないレベルになったときに、ＬＣＡＳの帯域増加制御を開始するステップ
を含む方法をコンピュータで実行するための手順を示すものであることが好ましい。
【００２０】
その通信プログラムにおいて、さらに、
［ｄ］前記イーサネット回線を介してパケットを受信するステップと、
［ｅ］前記ＳＤＨ回線側へパケットを出力するステップと
を具備する方法をコンピュータで実行するための手順を示すものであることが好ましい。
【００２１】
その通信プログラムにおいて、さらに、
［ｆ］ＬＣＡＳ制御により帯域増加が完了したことを認識したときに、ポーズフレーム送信停止命令を出力し、前記ポーズフレーム送信停止命令に応答して、前記ポーズフレームの送信を停止するステップ
を具備する方法をコンピュータで実行するための手順を示すものであることが好ましい。
【００２２】
その通信方法において、さらに、
［ｇ］前記バッファメモリ（１１）から、パケットを送出する際に、対向装置のイーサネット回線以下の速度で前記パケットを出力するステップ
を具備する方法をコンピュータで実行するための手順を示すものであることが好ましい。
【００２３】
このように、ＥｏＳ（Ether  over  SONET）通信装置において、出力イーサネット回線の速度以上にＬＣＡＳ（Link  Capacity  Adjustment  Scheme）でＶＣＡＴ帯域を増加する場合に、イーサネット回線送信処理部からEther回線へポーズフレームの送信を行い、Ether回線からのパケットの入力を停止し、ＧＦＰ送信処理部のバッファ内のパケットがある容量以下になってからＬＣＡＳにより帯域増加を行うことにより、バッファのオーバーフローに起因するパケットロスの発生を抑制する。
【発明の効果】
【００２４】
本発明によると、対向装置へバッファオーバーフローを生じさせないようにパケット蓄積量を減少させてから、ＬＣＡＳにより帯域増加を行っている。そのため、対向装置側でパケットロスのない通信を実現することができる。
【００２５】
また、本発明によると、ＥｏＳ通信装置１のバッファメモリを増加することなく、対向装置側でパケットロスのない通信を実現できる。そのため、ＥｏＳ通信装置１を構成する場合のコストの増加を抑制することが可能である。
【発明を実施するための最良の形態】
【００２６】
［第１実施形態］
以下に、図面を参照して、本発明を実施するための形態について説明を行う。図２は、本発明の第１実施形態のＥｏＳ通信装置１の構成を例示するブロック図である。図２を参照すると、本実施形態のＥｏＳ通信装置１は、イーサネット回線受信部２と、ＧＦＰ送信処理部３と、ＶＣＡＴ−ＬＣＡＳ送信処理部４と、ＳＤＨ回線送信処理部５と、ＳＤＨ回線受信処理部６と、ＶＣＡＴ−ＬＣＡＳ受信処理部７と、ＧＦＰ受信処理部８と、イーサネット回線送信部９とを含んで構成されている。
【００２７】
イーサネット回線受信部２は、イーサネット回線からのパケットを受信する。イーサネット回線受信部２は、そのパケットをＧＦＰ送信処理部３に供給している。ＧＦＰ送信処理部３は、イーサネット回線受信部２から供給されたパケットを送信処理部バッファメモリ１１に格納する。ＧＦＰ送信処理部３は、送信処理部バッファメモリ１１に蓄えられたパケットを、ＧＦＰヘッダでカプセル化してＶＣＡＴ−ＬＣＡＳ送信処理部４に供給する。ＶＣＡＴ−ＬＣＡＳ送信処理部４は、ＧＦＰ送信処理部３から送られたパケットに対し、Virtual  ConcatenationのＶＣＧにマッピングしてＳＤＨ回線送信処理部５へ送る。ＳＤＨ回線送信処理部５は、そのパケットにＳＤＨのオーバーヘッドを付加しＳＤＨ回線へ送信する。
【００２８】
ＥｏＳ通信装置１のＳＤＨ回線受信処理部６は、ＳＤＨ回線からＳＤＨデータを受信する。ＳＤＨ回線受信処理部６は、ＳＤＨのフレーム同期をとり、ＳＤＨフレーム内のＶＣパスをＶＣＡＴ−ＬＣＡＳ受信処理部７へ送信する。ＶＣＡＴ−ＬＣＡＳ受信処理部７はＶＣＧを構成するＶＣの位相同期をとり、ＧＦＰフレームが多重されているＶＣのペイロード部分を取り出し、ＧＦＰ受信処理部８へ送信する。ＧＦＰ受信処理部８は、送られてきたペイロード部分からＧＦＰ同期をとり、ＧＦＰヘッダを取り除き、イーサネットパケットを受信処理部バッファメモリ１２に蓄積する。ＧＦＰ受信処理部８の受信処理部バッファメモリ１２に格納されたイーサネットパケットは、イーサネット回線送信部９へ送られる。イーサネット回線送信部９は、ＧＦＰ受信処理部８から供給されるイーサネットパケットをイーサネット回線へ出力する。このようにして、ＥｏＳ通信装置１は、イーサネット回線のパケットを、ＳＤＨ回線を使って遠方のイーサネット回線へ伝送している。
【００２９】
ここで、ＥｏＳ通信装置１がＬＣＡＳシーケンスにより帯域を増加させる場合の動作について説明する。ＥｏＳ通信装置１は、ＶＣＡＴ−ＬＣＡＳ送信処理部４がＬＣＡＳ制御により帯域増加を行う場合に、そのＬＣＡＳ制御による帯域増加を行う前に、イーサネット回線送信部９へポーズフレーム出力命令２１を送る。このポーズフレーム出力命令２１は、イーサネット回線送信部９にポーズフレームの送信を指示する命令である。イーサネット回線送信部９は、そのポーズフレーム出力命令２１に応答して、ポーズフレームを出力する。
【００３０】
イーサネット回線送信部９からポーズフレームが出力されると、イーサネット回線に接続された他の通信装置は、パケットの送信を停止する。そのため、イーサネット回線受信部２は、パケットを受信しなくなる。従って、イーサネット回線受信部２からＧＦＰ送信処理部３へ供給される入力パケットもなくなり、ＧＦＰ送信処理部３は、送信処理部バッファメモリ１１に格納されているパケットをＳＤＨ回線側へ出力する動作だけ実行する。これによって、時間経過に伴って、送信処理部バッファメモリ１１内のパケットは減少する。
【００３１】
このときＧＦＰ送信処理部３は、送信処理部バッファメモリ１１に蓄えられているパケット量が、対向装置でオーバーフローを起こさないレベルまで減少したか否かを監視する。ＧＦＰ送信処理部３は、保持しているパケットの量がそのレベルまで減少すると、ＶＣＡＴ−ＬＣＡＳ送信処理部４に対し帯域増加制御開始命令２３を出力する。ＶＣＡＴ−ＬＣＡＳ送信処理部４は、その帯域増加制御開始命令２３に応答してＬＣＡＳの帯域増加制御を開始する。
【００３２】
ＶＣＡＴ−ＬＣＡＳ受信処理部７は、ＬＣＡＳ制御の帯域増加が完了したことを認識すると、イーサネット回線送信部９へポーズフレーム送信停止命令２２を送る。イーサネット回線送信部９は、そのポーズフレーム送信停止命令２２に応答してポーズフレームの送信を停止する。これにより、イーサネット回線に接続された通信装置からパケット送信が開始される。
【００３３】
このようにして、本実施形態では、ＶＣＡＴ−ＬＣＡＳ送信処理部４がＶＣＡＴ帯域を増加する前にＧＦＰ送信処理部３の送信処理部バッファメモリ１１内に蓄積されているパケット量が対向装置でオーバーフローを起こさないレベルまで減少させている。これによって、対向側のＥｏＳ通信装置のＧＦＰ受信処理部８のバッファメモリがオーバーフローすることはなく、パケットロスのない通信を継続して行うことできる。
【００３４】
［第２実施形態］
以下に、本発明の第２実施形態を、図面を参照して説明する。図３は、第２実施形態のＥｏＳ通信装置１の構成を例示するブロック図である。第２実施形態のＥｏＳ通信装置１は、ＧＦＰ送信処理部３にシェーピング回路１３を含んで構成されている。シェーピング回路１３は、ＧＦＰ送信処理部３の送信処理部バッファメモリ１１からＶＣＡＴへパケットを送出する際に、対向装置のイーサネット回線以下の速度でパケットを出力させる。これにより、第２実施形態のＥｏＳ通信装置１は、対向装置のＧＦＰ受信処理部８のバッファでオーバーフローしないようにできる。
【００３５】
上述した従来のＥｏＳ通信装置１０１では、出力イーサネット回線の速度以上にＬＣＡＳでＶＣＡＴ帯域を増加する場合に、ＧＦＰ送信処理部１０３のバッファへの特別な制御を行なっていない。そのため、ＶＣＡＴ帯域が増加すれば、ＧＦＰ送信処理部１０３の送信処理部バッファメモリ１１１に蓄えられていたパケットデータが帯域増加されてＳＤＨ回線に送信される。このとき、イーサネット回線の速度以上でＧＦＰパケットが対向装置のＧＦＰ受信処理部１０８に受信されることがあり、ＧＦＰ受信処理部１０８のバッファがオーバーフローし、パケットロスが発生する場合があった。
【００３６】
上述の複数の実施形態におけるＥｏＳ通信装置１は、出力イーサネット回線の速度以上にＬＣＡＳでＶＣＡＴ帯域を増加する場合に、イーサネット回線送信処理部からEther回線へポーズフレームの送信を行い、Ether回線からのパケットの入力を停止し、ＧＦＰ送信処理部のバッファ内のパケットがある容量以下になってからＬＣＡＳにより帯域増加を行うことにより、バッファのオーバーフローに起因するパケットロスの発生を抑制している。
【００３７】
なお、上述の複数の実施形態は、その構成・動作に矛盾が生じない範囲において、組み合わせて実施することが可能である
【図面の簡単な説明】
【００３８】
【図１】図１は、従来のＥｏＳ通信装置１０１の構成を示すブロック図である。
【図２】図２は、第１実施形態のＥｏＳ通信装置１の構成を例示するブロック図である。
【図３】図３は、第２実施形態のＥｏＳ通信装置１の構成を例示するブロック図である。
【符号の説明】
【００３９】
１…ＥｏＳ通信装置
２…イーサネット回線受信部
３…ＧＦＰ送信処理部
４…ＶＣＡＴ−ＬＣＡＳ送信処理部
５…ＳＤＨ回線送信処理部
６…ＳＤＨ回線受信処理部
７…ＶＣＡＴ−ＬＣＡＳ受信処理部
８…ＧＦＰ受信処理部
９…イーサネット回線送信部
１１…送信処理部バッファメモリ
１２…受信処理部バッファメモリ
１３…シェーピング回路
２１…ポーズフレーム出力命令
２２…ポーズフレーム送信停止命令
２３…帯域増加制御開始命令
１０１…ＥｏＳ通信装置
１０２…イーサネット回線受信部
１０３…ＧＦＰ送信処理部
１０４…ＶＣＡＴ−ＬＣＡＳ送信処理部
１０５…ＳＤＨ回線送信処理部
１０６…ＳＤＨ回線受信処理部
１０７…ＶＣＡＴ−ＬＣＡＳ受信処理部
１０８…ＧＦＰ受信処理部
１０９…イーサネット回線送信部
１１１…送信処理部バッファメモリ
１１２…受信処理部バッファメモリ
【図１】
2008236691.tif 000003
【図２】
2008236691.tif 000004
【図３】
2008236691.tif 000005